【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
周速ｖｐ（ｍｍ／ｓ）で回転する像形成体と、該像形成体を帯電手段により帯電電位Ｖｈ（Ｖ）に帯電し露光手段により露光して前記像形成体上に静電潜像を形成する静電潜像形成手段と、前記像形成体上に形成した静電潜像を２成分現像剤を用いＤＣバイアスＶｄｃ（Ｖ）に周波数Ｆａｃ（ｋＨｚ）でピーク値Ｖａｃｐ−ｐ（Ｖ）のＡＣバイアスが重畳された現像バイアス電圧を周速ｖｓ（ｍｍ／ｓ）で回転する現像剤担持体に印加して現像を行い前記像形成体上にトナー像を形成する現像手段と、前記像形成体上に形成したトナー像を記録媒体上もしくは中間転写体上に転写電流Ｉｔｒ（Ａ）をもって転写する転写手段と、前記像形成体上に残留した未転写のトナー像をクリーニングするクリーニング手段と、制御部と、を有する画像形成装置において、
該画像形成装置には前記像形成体上の帯電電位を測定する電位センサとパッチ画像のトナー付着量を検出するパッチ濃度センサとを有し、
前記制御部は前記電位センサによって検知した現像前後のパッチ画像の電位と、前記パッチ濃度センサによって検知した現像後のパッチ画像の画像濃度とよりトナー帯電量Ｑｔ（μＣ／ｇ）を算出し、メモリされているＱｔに対応したテーブルを用いて画像形成条件を設定し画像形成を行うことを特徴とする画像形成装置。
【請求項２】
前記テーブルはＱｔに対応した（Ｖｈ−Ｖｄｃ）の関係を示すＱｔ：（Ｖｈ−Ｖｄｃ）テーブルであって、（Ｖｈ−Ｖｄｃ）を設定し画像形成を行うことを特徴とする請求項１に記載の画像形成装置。
【請求項３】
上記（Ｖｈ−Ｖｄｃ）の設定は画像調整モード時に行われることを特徴とする請求項２に記載の画像形成装置。
【請求項４】
前記テーブルはＱｔに対応したＶａｃｐ−ｐの関係を示すＱｔ：Ｖａｃｐ−ｐテーブルであって、Ｖａｃｐ−ｐを設定し画像形成を行うことを特徴とする請求項１に記載の画像形成装置。
【請求項５】
上記ＡＣバイアスのピーク値Ｖａｃｐ−ｐの設定は画像調整モード時に行われることを特徴とする請求項４に記載の画像形成装置。
【請求項６】
前記テーブルはＱｔに対応したＦａｃの関係を示すＱｔ：Ｆａｃテーブルであって、Ｆａｃを設定し画像形成を行うことを特徴とする請求項１に記載の画像形成装置。
【請求項７】
上記ＡＣバイアスの周波数Ｆａｃの設定は画像調整モード時に行われることを特徴とする請求項６に記載の画像形成装置。
【請求項８】
前記テーブルはＱｔに対応したＶｄｃの関係を示すＱｔ：Ｖｄｃテーブルであって、Ｖｄｃを設定し画像形成を行うことを特徴とする請求項１に記載の画像形成装置。
【請求項９】
上記ＤＣバイアスＶｄｃの設定は画像調整モード時に行われることを特徴とする請求項８に記載の画像形成装置。
【請求項１０】
前記テーブルはＱｔに対応したｖｓ／ｖｐの関係を示すＱｔ：ｖｓ／ｖｐテーブルであって、ｖｓ／ｖｐを設定し画像形成を行うことを特徴とする請求項１に記載の画像形成装置。
【請求項１１】
上記像形成体と現像剤担持体の周速比ｖｓ／ｖｐの設定は画像調整モード時に行われることを特徴とする請求項１０に記載の画像形成装置。
【請求項１２】
前記テーブルはＱｔに対応したＩｔｒの関係を示すＱｔ：Ｉｔｒテーブルであって、Ｉｔｒを設定し画像形成を行うことを特徴とする請求項１に記載の画像形成装置。
【請求項１３】
上記転写電流Ｉｔｒの設定は画像調整モード時に行われることを特徴とする請求項１２に記載の画像形成装置。
【請求項１４】
上記２成分現像剤は、体積平均粒径が３〜６．５μｍの重合トナーと磁性キャリアとから成る２成分現像剤であることを特徴とする請求項１乃至１３の何れか１項に記載の画像形成装置。
【手続補正２】
【補正対象書類名】明細書
【補正対象項目名】００１０
【補正方法】変更
【補正の内容】
【００１０】
周速ｖｐ（ｍｍ／ｓ）で回転する像形成体と、該像形成体を帯電手段により帯電電位Ｖｈ（Ｖ）に帯電し露光手段により露光して前記像形成体上に静電潜像を形成する静電潜像形成手段と、前記像形成体上に形成した静電潜像を２成分現像剤を用いＤＣバイアスＶｄｃ（Ｖ）に周波数Ｆａｃ（ｋＨｚ）でピーク値Ｖａｃｐ−ｐ（Ｖ）のＡＣバイアスが重畳された現像バイアス電圧を周速ｖｓ（ｍｍ／ｓ）で回転する現像剤担持体に印加して現像を行い前記像形成体上にトナー像を形成する現像手段と、前記像形成体上に形成したトナー像を記録媒体上もしくは中間転写体上に転写電流Ｉｔｒ（Ａ）をもって転写する転写手段と、前記像形成体上に残留した未転写のトナー像をクリーニングするクリーニング手段と、制御部と、を有する画像形成装置において、
該画像形成装置には前記像形成体上の帯電電位を測定する電位センサとパッチ画像のトナー付着量を検出するパッチ濃度センサとを有し、
前記制御部は前記電位センサによって検知した現像前後のパッチ画像の電位と、前記パッチ濃度センサによって検知した現像後のパッチ画像の画像濃度とよりトナー帯電量Ｑｔ（μＣ／ｇ）を算出し、メモリされているＱｔに対応したテーブルを用いて画像形成条件を設定し画像形成を行うことを特徴とする画像形成装置。
１．前記テーブルはＱｔに対応した（Ｖｈ−Ｖｄｃ）の関係を示すＱｔ：（Ｖｈ−Ｖｄｃ）テーブルであって、（Ｖｈ−Ｖｄｃ）を設定し画像形成を行うことを特徴とする請求項１に記載の画像形成装置。
【手続補正３】
【補正対象書類名】明細書
【補正対象項目名】００１１
【補正方法】変更
【補正の内容】
【００１１】
２．前記テーブルはＱｔに対応したＶａｃｐ−ｐの関係を示すＱｔ：Ｖａｃｐ−ｐテーブルであって、Ｖａｃｐ−ｐを設定し画像形成を行うことを特徴とする請求項１に記載の画像形成装置。
【手続補正４】
【補正対象書類名】明細書
【補正対象項目名】００１２
【補正方法】変更
【補正の内容】
【００１２】
３．前記テーブルはＱｔに対応したＦａｃの関係を示すＱｔ：Ｆａｃテーブルであって、Ｆａｃを設定し画像形成を行うことを特徴とする請求項１に記載の画像形成装置。
【手続補正５】
【補正対象書類名】明細書
【補正対象項目名】００１３
【補正方法】変更
【補正の内容】
【００１３】
４．前記テーブルはＱｔに対応したＶｄｃの関係を示すＱｔ：Ｖｄｃテーブルであって、Ｖｄｃを設定し画像形成を行うことを特徴とする請求項１に記載の画像形成装置。
【手続補正６】
【補正対象書類名】明細書
【補正対象項目名】００１４
【補正方法】変更
【補正の内容】
【００１４】
５．前記テーブルはＱｔに対応したｖｓ／ｖｐの関係を示すＱｔ：ｖｓ／ｖｐテーブルであって、ｖｓ／ｖｐを設定し画像形成を行うことを特徴とする請求項１に記載の画像形成装置。
【手続補正７】
【補正対象書類名】明細書
【補正対象項目名】００１５
【補正方法】変更
【補正の内容】
【００１５】
６．前記テーブルはＱｔに対応したＩｔｒの関係を示すＱｔ：Ｉｔｒテーブルであって、Ｉｔｒを設定し画像形成を行うことを特徴とする請求項１に記載の画像形成装置。
【手続補正８】
【補正対象書類名】明細書
【補正対象項目名】００４３
【補正方法】変更
【補正の内容】
【００４３】
（３）  本実施形態（請求項２の発明）の画像形成装置は、画像調整モード時にはトナー帯電量Ｑｔを求める。そして別に用意したトナー帯電量Ｑｔとこれに対して帯電電位Ｖｈと現像バイアス（ＤＣバイアスＶｄｃ）の差であるかぶりマージン（Ｖｈ−Ｖｄｃ）との関係を示すＱｔ：（Ｖｈ−Ｖｄｃ）テーブルを用いて、最も適切とするかぶりマージンを設定する。
【手続補正９】
【補正対象書類名】明細書
【補正対象項目名】００４７
【補正方法】変更
【補正の内容】
【００４７】
（４）  本実施形態（請求項４の発明）の画像形成装置は、画像調整モード時にはトナー帯電量Ｑｔを求める。そして別に用意したトナー帯電量Ｑｔに対応した現像バイアス中のＡＣバイアスのピーク値Ｖａｃｐ−ｐの関係を示すＱｔ：Ｖａｃｐ−ｐテーブルを用いて、最も適切とするＡＣバイアスのピーク値を設定する。
【手続補正１０】
【補正対象書類名】明細書
【補正対象項目名】００５１
【補正方法】変更
【補正の内容】
【００５１】
（５）  本実施形態（請求項６の発明）の画像形成装置は、画像調整モード時にはトナー帯電量Ｑｔを求める。そして別に用意したトナー帯電量Ｑｔに対応した現像バイアス中のＡＣバイアスの周波数Ｆａｃの関係を示すＱｔ：Ｆａｃテーブルを用いて、最も適切とするＡＣバイアスの周波数を設定する。
【手続補正１１】
【補正対象書類名】明細書
【補正対象項目名】００５５
【補正方法】変更
【補正の内容】
【００５５】
（６）  本実施形態（請求項８の発明）の画像形成装置は、画像調整モード時にはトナー帯電量Ｑｔを求める。そして別に用意したトナー帯電量Ｑｔに対応した現像バイアス中のＤＣバイアス値Ｖｄｃの関係を示すＱｔ：Ｖｄｃテーブルを用いて、最も適切とするＤＣバイアス値を設定する。
【手続補正１２】
【補正対象書類名】明細書
【補正対象項目名】００５９
【補正方法】変更
【補正の内容】
【００５９】
（７）  本実施形態（請求項１０の発明）の画像形成装置は、画像調整モード時にはトナー帯電量Ｑｔを求める。そして別に用意したトナー帯電量Ｑｔに対応した現像剤担持体４１の線速ｖｓと感光体１の線速ｖｐとの比ｖｓ／ｖｐの関係を示すＱｔ：ｖｓ／ｖｐテーブルを用いて、最も適切とする現像時における線速比を設定する。
【手続補正１３】
【補正対象書類名】明細書
【補正対象項目名】００６３
【補正方法】変更
【補正の内容】
【００６３】
（８）  本実施形態（請求項１２の発明）の画像形成装置は、画像調整モード時にはトナー帯電量Ｑｔを求める。そして別に用意したトナー帯電量Ｑｔに対応した定電流制御によって転写を行う転写極６の転写電流Ｉｔｒの関係を示すＱｔ：Ｉｔｒテーブルを用いて、最も適切とする転写時における転写電流値を設定する。
【手続補正１４】
【補正対象書類名】明細書
【補正対象項目名】００６８
【補正方法】変更
【補正の内容】
【００６８】
【発明の効果】
請求項１，２，４，６，８，１０，１２の発明は、従来の画像形成条件の設定方法と異なりトナー帯電量を求めてこれに基づいて画像形成条件の設定を行うようにしたもので、従来に比較して更に適切な現像条件或いは転写条件が設定されることとなり、鮮明で良好な画質の画像が得られることとなった。
【手続補正１５】
【補正対象書類名】明細書
【補正対象項目名】図４
【補正方法】変更
【補正の内容】
【図４】
請求項２の発明の制御ブロック図。
【手続補正１６】
【補正対象書類名】明細書
【補正対象項目名】図６
【補正方法】変更
【補正の内容】
【図６】
請求項４の発明の制御ブロック図。
【手続補正１７】
【補正対象書類名】明細書
【補正対象項目名】図８
【補正方法】変更
【補正の内容】
【図８】
請求項６の発明の制御ブロック図。
【手続補正１８】
【補正対象書類名】明細書
【補正対象項目名】図１０
【補正方法】変更
【補正の内容】
【図１０】
請求項８の発明の制御ブロック図。
【手続補正１９】
【補正対象書類名】明細書
【補正対象項目名】図１２
【補正方法】変更
【補正の内容】
【図１２】
請求項１０の発明の制御ブロック図。
【手続補正２０】
【補正対象書類名】明細書
【補正対象項目名】図１４
【補正方法】変更
【補正の内容】
【図１４】
請求項１２の発明の制御ブロック図。